(57)【要約】【課題】小型化のために平滑用コンデンサを小容量化した際、電源インピーダンスによっては、ＰＷＭスイッチングを起因とする電圧上昇が発生していた。【解決手段】キャリア周波数をコンデンサ１０３とリアクタ１０４の共振周波数よりも高い周波数とすることで、電源インピーダンスを含めたインダクタンス成分とコンデンサ１０３との共振周波数はコンデンサ１０３とリアクタ１０４との共振周波数よりも低い共振周波数となるため、キャリア周波数と一致することがなく、インバータ１０５のスイッチングを起因とした電圧上昇が低減される。【選択図】図１
2016059086.tif 000002
【特許請求の範囲】
【請求項１】
交流電源と、前記交流電源から出力された交流を直流に整流する整流回路と、前記整流回路の入力側もしくは出力側に接続されるリアクタと、前記整流回路の出力側に接続され両端の電圧の最大値が最小値の２倍以上となるよう値を決定したコンデンサと、前記リアクタと前記コンデンサの共振周波数よりも高いキャリア周波数で前記コンデンサより得られる直流を交流に変換するＰＷＭ型のインバータと、前記インバータから得られる交流を入力とし負荷を駆動するモータを有するモータ駆動装置。
【請求項２】
前記リアクタと前記コンデンサの共振周波数が前記交流電源の周波数の４０倍よりも高くなるよう前記リアクタと前記コンデンサの値を決定した請求項１に記載のモータ駆動装置。
【請求項３】
請求項１または２のいずれか１項に記載のモータ駆動装置により駆動されるブラシレスＤＣモータを備えた電気機器。
【発明の詳細な説明】
【技術分野】
【０００１】
本発明は、ブラシレスＤＣモータを駆動するモータ駆動装置およびこれを用いた電気機器に関するものである。
【背景技術】
【０００２】
従来、この種のブラシレス・センサレスＤＣモータは、一般的には十分大きな平滑用コンデンサを有した整流回路と、インバータと、位置検出センサをなくし誘起電圧またはモータ電流から位置検出をすることより駆動されていた。位置検出センサをなくす理由は、安価になることや圧縮機などの高温雰囲気・冷媒雰囲気・オイル雰囲気などで位置センサを取り付けることが著しく困難であったためである。
【０００３】
また、近年この駆動装置を小型化するために、整流回路の平滑用コンデンサを大幅に小容量化する取組みもなされている（例えば特許文献１参照）。
【０００４】
図５は、上記特許文献１に記載された従来のモータ駆動装置を示すものである。図５に示すように、単相交流電源１、単層交流電源１を整流するダイオード全波整流回路２、整流回路の出力を平滑する従来の１／１００程度の容量の平滑用の小容量のコンデンサ３、コンデンサ３の両端に接続され６個のスイッチング素子（逆向きのダイオードを含む）を３相ブリッジ接続しているＰＷＭ（パルス幅変調）インバータ４、インバータ４の出力と接続され３相巻線が施されたブラシレスＤＣモータ５、ブラシレスＤＣモータ５の位置を検出する位置検出センサ６、単相交流電源１の電圧ｖ、直流部電流ｉｄｃ、インバータ４の出力電流ｉａ、ｉｂ、ｉｃ、位置検出センサ６からの位置情報θなどの情報を入力として、最適な駆動ができるようにＰＷＭインバータ４のゲートを駆動している制御回路７から構成されている。
【先行技術文献】
【特許文献】
【０００５】
【特許文献１】特開２００２−５１５８９号公報
【発明の概要】
【発明が解決しようとする課題】
【０００６】
しかしながら、上記従来の構成では、実験室など安定化電源のような電源インピーダンスが非常に小さい電源が備わった環境下では問題とならないが、電源事情の悪い地域など電源インピーダンスにインダクタンス成分を持つ場合、小容量のコンデンサと電源インピーダンスのインダクタンス成分の共振周波数とＰＷＭインバータのキャリア周波数が一致する状態が存在する。一致した場合に、コンデンサ容量が小容量であるため直流母線間電圧の上昇が大きくなり、耐圧破壊を防ぐため耐圧の高い高コストな部品の使用が必要という課題を有していた。
【０００７】
本発明は、上記従来の課題を解決するもので、平滑用のコンデンサの容量を極めて小さくした場合であっても、インバータのスイッチングを起因とした直流母線間電圧上昇の抑制を可能としたモータ駆動装置の提供を目的とする。
【課題を解決するための手段】
【０００８】
上記従来の課題を解決するために、本発明のモータの駆動装置は、交流電源と、前記交流電源から入力された交流を直流に整流する整流回路と、前記整流回路の入力側もしくは出力側に接続されるリアクタと、前記整流回路の出力側に接続され両端の電圧の最大値が
最小値の２倍以上となるよう値を決定したコンデンサと、前記リアクタと前記コンデンサの共振周波数よりも高いキャリア周波数で前記コンデンサより得られる直流を交流に変換するＰＷＭ型のインバータと、前記インバータから得られる交流を入力とし負荷を駆動するモータを有するものである。
【０００９】
これによって、電源インピーダンスを含んだ場合であっても、回路全体のインダクタンス値が大きくなり、前記コンデンサと前記リアクタおよび電源インピーダンスを含めたインダクタンス成分との共振周波数は前記リアクタと前記コンデンサの共振周波数よりも低くなるだけなので、キャリア周波数は共振周波数よりも必ず高い周波数となり、共振周波数とキャリア周波数が一致することが無くなる。
【発明の効果】
【００１０】
本発明のモータ駆動装置は、平滑用コンデンサの容量を極めて小さくしても、インバータのスイッチングに起因する直流母線間電圧の上昇を抑制できる。
【図面の簡単な説明】
【００１１】
【図１】本発明の実施の形態１におけるモータの駆動装置の電気回路構成を示すブロック図
【図２】同実施の形態における直流母線間の電圧波形を示すタイミング図
【図３】キャリア周波数と共振周波数が一致したときの直流母線間電圧のシミュレーション波形図
【図４】キャリア周波数を共振周波数の１．５倍にした場合の直流母線間電圧のシミュレーション波形図
【図５】従来のモータ駆動装置の電気回路構成を示すブロック図
【発明を実施するための形態】
【００１２】
第１の発明は、交流電源と、前記交流電源から入力された交流を直流に整流する整流回路と、前記整流回路の入力側もしくは出力側に接続されるリアクタと、前記整流回路の出力側に接続され両端の電圧の最大値が最小値の２倍以上となるよう値を決定したコンデンサと、前記リアクタと前記コンデンサの共振周波数よりも高いキャリア周波数で前記コンデンサより得られる直流を交流に変換するＰＷＭ型のインバータと、前記インバータから得られる交流を入力とし負荷を駆動するモータを有することにより、電源インピーダンスを含んだ場合であっても、回路全体のインダクタンス値が大きくなりＬＣ共振周波数はリアクタとコンデンサのＬＣ共振周波数よりも低くなるだけなので、前記コンデンサと前記リアクタにより共振周波数の上限を定めることとなり、キャリア周波数はＬＣ共振周波数よりも必ず高い周波数となる。これによって、ＬＣ共振周波数とキャリア周波数が一致することが無くなるため、コンデンサが小容量であってもインバータのスイッチングに起因する直流母線間電圧の上昇を抑制できる。
【００１３】
第２の発明は、特に第１の発明の前記リアクタと前記コンデンサの共振周波数が前記交流電源の周波数の４０倍よりも高くなるよう前記リアクタと前記コンデンサの値を決定したことにより、ＬＣ共振により発生する電流の歪が高調波規制の対象外となり、特別な高調波対策が必要ない安価なモータ駆動装置が提供できる。
【００１４】
第３の発明は、特に第１または第２の発明のモータ駆動装置を用いた電気機器である。これにより、電気機器として冷蔵庫に用いた場合は、前記モータ駆動装置が小型化できるため一定速駆動を行っている冷蔵庫の少ないスペースに収めることができ、速度変更が可能なより効率の良い冷蔵庫を安価に提供することができる。また、電気機器として送風機に用いた場合は、送風機はイナーシャが非常に大きいため、持ち運びが容易な小型送風機を実現することが可能となる。
【００１５】
以下、本発明の実施の形態について、図面を参照しながら説明する。なお、この実施の形態によってこの発明が限定されるものではない。
【００１６】
（実施の形態１）
図１は、本発明の実施の形態１におけるモータ駆動装置のブロック図である。
【００１７】
図１において、交流電源１０１は、日本の場合、電圧が１００［Ｖ］、周波数が５０［Ｈｚ］または６０［Ｈｚ］の一般的な商用の交流電源である。整流回路１０２は、周知の如く４個のダイオードがブリッジ接続されたものである。
【００１８】
コンデンサ１０３は整流回路１０２の出力側に接続される。コンデンサ１０３には小型化のため、小容量のコンデンサを用いており、出力電圧が交流電源周波数の略２倍周波で大きく脈動する。本実施の形態ではコンデンサの容量を３［μＦ］とする。
【００１９】
また、コンデンサ１０３には、整流回路１０２との間にコンデンサへの突入充放電電流のピーク値を下げるためのリアクタ１０４を接続している。コンデンサ１０３とリアクタ１０４の共振周波数ｆＬＣ（ＬＣ共振周波数）が交流電源周波数の４０倍以上になるように設定し、共振による電流の周波数を電源高調波規制の範囲外とすることで、高調波電流を低減することができる。本実施の形態ではリアクタのインダクタンスを０．５［ｍＨ］とする。また、コンデンサ１０３の容量は電圧の最大値が最小値の２倍以上となる値を設定することで交流電源１０１の周波数に近い電流波形となり、高調波電流が改善される。
【００２０】
本実施の形態のコンデンサ１０３の容量を３［μＦ］としており、負荷が大きな運転条件では直流母線間電圧の最小値はほぼ０［Ｖ］まで低下するため、最大値は最小値の２倍以上となっており、高調波電流が改善される。
【００２１】
なお、本実施の形態ではリアクタ１０４は整流回路１０２とコンデンサ１０３の間に接続しているが、交流電源１０１とコンデンサ１０３を構成するフィルムコンデンサの間に挿入すればよく、整流回路１０２の前後どちらでも構わない。
【００２２】
インバータ１０５はコンデンサ１０３からの出力電圧をモータ１０６の駆動のために所望の電圧値・周波数に変換する複数の半導体スイッチング素子により構成されるＰＷＭ型のインバータである。
【００２３】
モータ１０６はインダクションモータやブラシレスＤＣモータなど、インバータ駆動を行うモータであればどんなモータでも構わない。本実施の形態では、ブラシレスＤＣモータを用いる。ブラシレスＤＣモータはインダクションモータに比べ、高効率・小型で速度可変範囲も広いため、コンデンサ１０３の小型化とともに、モータ駆動装置全体の小型化を実現するには非常に有用である。
【００２４】
モータ１０６は、永久磁石を有する回転子と、３相巻線を有する固定子とから構成される。モータ１０６は、インバータ１０５により作られた３相交流電流がモータ１０６の固定子の３相巻線に流れることにより、モータ１０６の回転子を回転させる。モータ１０６の固定子には、３相スター結線された巻線が施されている。この巻き方は集中巻であっても、分布巻であっても構わない。また、モータ１０６の回転子には、永久磁石を配置している。その配置方法は、表面磁石型（ＳＰＭ）でも磁石埋め込み型（ＩＰＭ）であっても構わず、また永久磁石はフェライトでも希土類でも構わない。ＩＰＭの場合はリラクタンストルクを利用することができ、直流母線間電圧が脈動し、電圧が低下した電圧値でも進角をつけることで、出力トルクの低下を軽減することができる。
【００２５】
モータ１０６の回転子の軸に接続された圧縮要素１０７は、冷媒ガスを吸入し、圧縮して、吐出する。このモータ１０６と圧縮要素１０７とを同一の密閉容器に収納し、圧縮機１０８を構成する。つまり、本実施の形態のモータ駆動装置の負荷は圧縮機１０８の圧縮機構となる。圧縮機１０８の圧縮方式（機構形態）はロータリーやスクロールなど何であっても構わないが、今回はレシプロ型とする。レシプロ型はとくにイナーシャが大きく電圧低下時であっても回転数が低下しにくく、小容量のコンデンサでより滑らかに運転することができる。
【００２６】
また、冷媒ガスはＲ１３４ａ等何であっても構わないが、本実施の形態１においては、Ｒ６００ａを採用している。Ｒ６００ａはＲ１３４ａとくらべ冷凍能力が低く、圧縮要素１０７の気筒容積を大きくして冷凍能力の低下を補う。その結果、圧縮機１０８は、イナーシャが大きくなっている。これにより、電圧低下時であっても、イナーシャによってモータ１０６が回転するため、速度が低下しにくく、コンデンサ１０３のコンデンサ容量が小容量であっても、安定した運転が可能となる。
【００２７】
圧縮機１０８で圧縮された吐出ガスは、凝縮器１０９、減圧器１１０、蒸発器１１１を通って圧縮機１０８の吸い込みに戻るような冷凍空調システムを構成する。この時、凝縮器１０９では放熱を、蒸発器１１１では吸熱を行うので、冷却や加熱を行うことができる。必要に応じて凝縮器１０９や蒸発器１１１に送風機等を使い、熱交換をさらに促進することもできる。
【００２８】
位置検出手段１１２はモータ１０６の回転子の磁極位置を検出する。位置を検出する手段としては、圧縮機１０８の中にモータ１０６が入っているため、センサを用いることは困難であるが、モータ１０６の端子電圧に現れる誘起電圧から検出する方法や、モータ１０６に流れる電流などから計算する方法などがある。本実施の形態では位置検出手段として、誘起電圧から位置を検出するものとする。
【００２９】
制御手段１１３は、一定周期出力するパルスのＯＮとＯＦＦの時間の割合を変更するＰＷＭ制御によってインバータ１０５のスイッチング素子を動作させ、位置検出手段１１２の位置情報をもとに大きく脈動する平滑電圧に対応したモータ駆動指令を与える。
【００３０】
ＰＷＭのキャリア周波数はＬＣ共振周波数ｆＬＣよりも高い周波数として設定する。本実施の形態においてはキャリア周波数をＬＣ共振周波数ｆＬＣの１．５倍以上高い８［ｋＨｚ］とする。
【００３１】
また、高周波除去するコモンモードフィルタを構成している場合は、コモンモードフィルタのインダクタンス成分とリアクタの合成成分を考慮する。
【００３２】
以上のように構成されたモータの駆動装置について、以下にその動作、作用を説明するまず、コンデンサ１０３の両端の電圧波形について、図２および図１を用いて説明する。図２は本実施の形態１における直流母線間の電圧波形を示すタイミング図である。
【００３３】
図２において、縦軸には電圧を示し、横軸は時間を示す。波形Ａは、非常に負荷電流が小さい（ほとんど電流は流れていない）時の状態で、コンデンサ１０３の充電電荷がほとんど使われず、電圧の低下はほとんどない。ただし、ここでいう負荷電流は整流回路１０２の出力電流、すなわちインバータ１０５への入力電流であるものとする。整流後の電圧の最大値が１４１［Ｖ］、最小値も１４１［Ｖ］と電圧差はほぼ０である。
【００３４】
次に、負荷電流を大きくしていくとコンデンサ１０３の充電電荷が使われ、波形Ｂに示
すように瞬時に最低電圧が低下してくる。
【００３５】
さらに負荷電流を大きくしていくと、コンデンサ１０３にはほとんど充電電荷が蓄えられず、波形Ｃに示すように瞬時最低電圧がほとんど０［Ｖ］まで低下してくる。
【００３６】
このようにコンデンサ１０３のコンデンサが小容量の場合、負荷電流を取り出すとほとんど平滑されずに入力の交流電源１０１を全波整流した波形に近づき、交流電源電流の高調波成分を抑制できるとともに、力率が改善されるため交流電源１０１が出力する電流実行値と電流ピークが低下するため、効率向上や部品温度上昇の低減などが可能となる。その結果、部品定格が低くより安価な部品の採用が可能となる。
【００３７】
さらに、交流電源電流の高調波成分を抑制してＩＥＣ規格を遵守するために、小容量コンデンサと小容量リアクタとの共振周波数であるＬＣ共振周波数ｆＬＣを交流電源周波数ｆｓの４０倍よりも大きくなるように小容量コンデンサと小容量リアクタの組み合わせを決定する。
【００３８】
ここで、小容量コンデンサの容量をＣ［Ｆ］、小容量リアクタのインダクタンス値をＬ［Ｈ］とすると、ＬＣ共振周波数ｆＬＣは数１のように表される。
【００３９】
【数１】
2016059086.tif 000003
【００４０】
即ち、ｆＬＣ＞４０×ｆｓを満たすように小容量コンデンサと小容量リアクタの組み合わせを決定するものである。（ＩＥＣ規格では交流電源電流の高調波成分において第４０次高調波まで規定されているため）。
【００４１】
以上により、小容量コンデンサおよび小容量リアクタの組み合わせを決定することで、交流電源電流の高調波成分を抑制して、ＩＥＣ規格を遵守することが可能となる。
【００４２】
本実施の形態では、コンデンサ１０３の容量が３［μＦ］、リアクタのインダクタンス値が０．５［ｍＨ］となっているので、ＬＣ共振周波数ｆＬＣが約４１０９［Ｈｚ］となり、交流電源１０１の電源周波数が６０［Ｈｚ］であったとしても４０倍は２４００［Ｈｚ］となり十分高い共振周波数となっている。
【００４３】
次に、キャリア周波数の決定に関して説明する。１キャリア周期で見た場合、コンデンサ１０３に流れ込む電流のピークとスイッチングのＯＦＦが一致し、リアクタが流す電流が０になるタイミングでスイッチング素子がＯＮした時に、リアクタ１０４からコンデンサ１０３に流れる電流量が最大となるため直流母線間電圧の上昇が最大となる。
【００４４】
交流電源１０１の電圧が１２０［Ｖ］に変動し、キャリア周波数とＬＣ共振周波数ｆＬＣが一致したときの直流母線間電圧のシミュレーション波形を図３に示す。図３の縦軸は電圧を示し、横軸は時間を示している。
【００４５】
交流電源１０１の電圧ピークは１７０［Ｖ］となるが、キャリア周波数とＬＣ共振周波数ｆＬＣが一致した場合は図３のように電圧ピーク値が大きく跳ね上がる。また、ＬＣ共振周波数ｆＬＣを分周した周波数とキャリア周波数が一致しても同様に電圧が上昇する。
【００４６】
このような電流の変化が発生する周期はコンデンサ１０３とリアクタ１０４の共振周波数となるため、キャリア周期がＬＣ共振周波数ｆＬＣ以上とすることで電圧上昇が最大となる条件を回避することができる。
【００４７】
また、同じ共振周波数を持つＬＣの組合せであっても、コンデンサの容量が小さく、インダクタンス値が大きい程、電圧の上昇が大きくなるため、直流母線間電圧の最大が最小の２倍以上となるような小容量のコンデンサを直流母線間に配した回路構成では特に問題となる。
【００４８】
回路上のＬＣ共振周波数ｆＬＣとキャリア周波数の一致を避けるだけであれば、キャリア周波数をＬＣ共振周波数ｆＬＣよりも低い値に設定することでも可能となる。しかしながら、このようなキャリア周波数がＬＣ共振周波数ｆＬＣよりも低い条件は、実験室など安定化電源を使用しているような電源間環境の良い条件では問題とならないが、電源環境が悪く電源インピーダンスにインダクタンス成分を持つような環境ではスイッチングが起因となる電圧上昇が発生してしまう。電源にインダクタンス成分を持つ場合、共振周波数は電源のインダクタンス成分を加算した値で計算する必要があるため、コンデンサ１０３とリアクタに電源インピーダンスのインダクタンス成分を加算した値とのＬＣ共振周波数ｆＬＣＺはコンデンサ１０３とリアクタ１０４の共振周波数であるＬＣ共振周波数ｆＬＣより低くなる。また、電源インピーダンスのインダクタンス成分は不定であるため、ＬＣ共振周波数ｆＬＣＺの上限はコンデンサ１０３とリアクタ１０４の共振周波数で定められるが、下限は定まらず、上限より低い全ての周波数をとりうる。
【００４９】
つまり、ＬＣ共振周波数ｆＬＣよりも低いキャリア周波数を設定した場合、キャリア周波数とＬＣ共振周波数ｆＬＣＺが一致する可能性があるため、スイッチングを起因とした電圧上昇が発生する可能性がある。一方、ＬＣ共振周波数ｆＬＣよりも高いキャリア周波数とした場合、ＬＣ共振周波数ｆＬＣＺと一致する可能性がないため、どのような電源環境であっても、スイッチングを起因とした電圧上昇を抑制することができる。
【００５０】
具体的には、ＬＣ共振周波数ｆＬＣＺとキャリア周波数の差が大きい程電圧上昇は抑制されるため、直流母線間の電圧が印加される部品の耐圧を考慮した、キャリア周波数の設定を行う。
【００５１】
例えば、交流電源１０１のバラツキの最大値が１２０［Ｖ］であれば、整流後の最大値は１７０［Ｖ］となる。部品耐圧２００［Ｖ］のものを使用する場合は、マージンを見て直流母線間電圧の上昇を１９０［Ｖ］以下に抑えることを設計目標とすると、インバータ１０５のスイッチングを起因とした電圧上昇が２０［Ｖ］以下になるようキャリアを高くすることで、２００［Ｖ］耐圧の部品の使用が可能となる。
【００５２】
キャリア周波数をＬＣ共振周波数ｆＬＣの１．５倍にした場合の直流母線間電圧のシミュレーション波形を図４に示す。図４において、縦軸は電圧をあらわし、横軸は時間を表している。キャリア周波数がＬＣ共振周波数ｆＬＣの１．５倍にするとスイッチングを起因とした電圧上昇は、図３と比較しても分かるように、約３割に低下することとなるため、目安としてキャリア周波数はＬＣ共振周波数ｆＬＣの１．５倍以上にすることで電圧上昇を大きく改善することができる。
【００５３】
以上のように、本実施の形態において、交流電源１０１と、交流電源１０１から出力された交流を直流に整流する整流回路と、前記整流回路の入力側もしくは出力側に接続されるリアクタ１０４と、整流回路１０２の出力側に接続され両端の電圧の最大値が最小値の２倍以上となるよう値を決定したコンデンサ１０３と、リアクタ１０４とコンデンサ１０
３の共振周波数よりも高いキャリア周波数でコンデンサ１０３より得られる直流を交流に変換するＰＷＭ型のインバータ１０５と、インバータ１０５から得られる交流を入力とし負荷を駆動するモータ１０６を有したことにより、電源インピーダンスを含んだ場合であっても、回路全体のインダクタンス値が大きくなりＬＣ共振周波数ｆＬＣＺはリアクタとコンデンサのＬＣ共振周波数ｆＬＣよりも低くなるだけなので、キャリア周波数はＬＣ共振周波数ｆＬＣＺよりも必ず高い周波数となり、ＬＣ共振周波数ｆＬＣＺとキャリア周波数が一致することが無くなるため、コンデンサが小容量であってもインバータのスイッチングに起因する直流母線間電圧の上昇を抑制できる。
【００５４】
また、本実施の形態で、リアクタ１０４とコンデンサ１０３の共振周波数が交流電源１０１の周波数の４０倍よりも高くなるようリアクタ１０４とコンデンサ１０３の値を決定したことにより、ＩＥＣ高調波規格範囲内の次数の電源高調波電流が抑制されるため、ＩＥＣ規格を遵守することが可能となる。さらに、高調波対策として、特別な部品を使用しないため、安価なモータ駆動装置が提供できる。
【００５５】
また、本実施の形態のモータ駆動装置を用いた電気機器であることにより、電気機器として冷蔵庫に用いた場合は、前記モータ駆動装置が小型化できるため一定速駆動を行っている冷蔵庫の少ないスペースに収めることができ、速度変更が可能なより効率の良い冷蔵庫を安価に提供することができる。
【産業上の利用可能性】
【００５６】
以上のように、本発明にかかるモータの駆動装置は、平滑コンデンサを大幅に小容量化した大きなリプル電圧がある場合でも、位置検出センサを用いることなく、効率を維持しつつ安定した電流供給が可能となり、しかもモータが停止する際の電圧上昇を抑え信頼性が向上しているため、請求項記載のもののみならず、小型のモータ駆動装置を必要とするＡＶ機器（特に小型機器）等にも広く用いることができる。
【符号の説明】
【００５７】
１０１  交流電源
１０２  整流回路
１０３  コンデンサ
１０４  リアクタ
１０５  インバータ
１０６  モータ
１０７  圧縮要素
１０８  圧縮機
１０９  凝縮器
１１０  減圧器
１１１  蒸発器
１１２  位置検出手段
１１３  制御手段
【図１】
2016059086.tif 000004
【図２】
2016059086.tif 000005
【図３】
2016059086.tif 000006
【図４】
2016059086.tif 000007
【図５】
2016059086.tif 000008